(57)【要約】【課題】各種装置データを制御装置へ送信するには、インターフェイスユニットが個々に必要であり、また、データを送信するタイミングを制御装置に依存しているため、優先順位の低い機器が接続されている場合にでも火災報知器等の即答性を求められる優先順位の高い緊急停止装置データの送信タイミングは変わらないという課題があった。【解決手段】メモリ手段８に保管されている機器毎の優先順位レベルとデータ要求指令データを送信する優先レベル判定手段７と、制御装置３とＩＯ装置、ＡＤ装置１４、火災報知器等の緊急停止装置４間のデータ送受信を行い、優先レベル検知手段からの指令により各機器に一定時間内に要求するデータ要求指令数を管理する管理部と要求データを制御装置に送信する送受信デバイス部６とを備え、緊急停止装置の優先レベル毎に、各機器の情報を効率よく制御装置に伝達することができる。【選択図】図１
2007074184.tif 000002
【特許請求の範囲】
【請求項１】
空調機優先順位コード、ＩＯ、ＡＤ装置優先順位コードのデータを受信する第１送受信デバイス部と、第１送受信デバイス部で受信した空調機優先順位コード、ＩＯ、ＡＤ装置優先順位コードのデータを一時保管するメモリ手段と、空調機、ＩＯ、ＡＤ装置と第１送受信デバイス部を結ぶ第３伝送路と、メモリ手段に一時保管される空調機優先順位コード、ＩＯ、ＡＤ装置優先順位コードの優先順位レベルがすでに設定され、その優先順位レベルの高低により割り込み指令データを送信する優先順位レベル判定手段と、制御装置と火災報知器等の緊急停止装置間のデータ送受信を行い優先順位レベル判定手段からの指令により火災報知器等の緊急停止装置データから空調機の運転状態データ、ＩＯ、ＡＤ装置の情報データを制御装置に送信する第２送受信デバイス部と、制御装置と第２送受信デバイス部を結ぶ第１伝送路と、火災報知器等の緊急停止装置と第２送受信デバイス部を結ぶ第２伝送路とを備えたインターフェイスユニット。
【請求項２】
前記第１送受信デバイス部と第２送受信デバイス部とメモリ手段において、火災報知器等の緊急停止装置の接続台数による通信データ量の差異により空調機およびＩＯ、ＡＤ装置の情報データを送信する時間を決定する接続台数検知手段を備えた請求項１に記載のインターフェイスユニット。
【請求項３】
前記第１送受信デバイス部と第２送受信デバイス部とメモリ手段において、優先順位レベル判定手段が優先順位レベルを切り換える優先順位レベル設定スイッチを備えた請求項1に記載のインターフェイスユニット。
【発明の詳細な説明】
【技術分野】
【０００１】
本発明は、1台で空調機とＩＯ、ＡＤ装置データ、優先順位の高い火災報知器等の緊急停止装置の情報を効率よく、制御装置部に伝えるインターフェイスユニットに関するものである。
【背景技術】
【０００２】
従来のインターフェイスユニットとしては、空調機データやＩＯ、ＡＤ装置データ、火災報知器等の緊急停止装置データを管理・制御していたものがあった。図５は、従来のブロック図を示すものである。
【０００３】
従来のインターフェイスユニット1は、図５に示すように空調機５と火災報知器等の緊急停止装置４のデータは、それぞれがインターフェイスユニット１ａ、およびインターフェイスユニット１ｂを有し、各種状態を制御装置３へ独立して情報伝達が行われていた（例えば、特許文献1参照）。
【特許文献１】特開平１１―２０６０１４号公報
【発明の開示】
【発明が解決しようとする課題】
【０００４】
しかしながら、上記従来の構成では、空調機データ、ＩＯ、ＡＤ装置データおよび火災報知器等の緊急停止装置データを制御装置へ送信するには、それぞれにインターフェイスユニットが個々に必要であり、また、各インターフェイスユニットが、データを送信するタイミングを制御装置に依存しているため、空調機データ、ＩＯ、ＡＤ装置データおよび火災報知器等の緊急停止装置の接続台数および通信量の負荷の増減違いが判定できず、特に緊急停止データのように、情報として常に要求されるものに対して、空調機データの接続台数、通信量の負荷が低い場合にまた、ＩＯ、ＡＤ装置データの接続台数が少ない場合にでも緊急停止データの送信タイミングは変わらないという課題があった。
【０００５】
本発明はこのような従来の課題を解決するものであり、インターフェイスユニット１台で、空調機データ、ＩＯ、ＡＤ装置データと火災報知器等の緊急停止装置データを各接続機器の台数および優先順位により効率よく制御装置への送信データの切り換えを行うことができるインターフェイスを提供することを目的とする。
【課題を解決するための手段】
【０００６】
上記課題を解決するために本発明は、空調機優先順位コード、ＩＯ、ＡＤ装置優先順位コードのデータを受信する第１送受信デバイス部と、第１送受信デバイス部で受信した空調機優先順位コード、ＩＯ、ＡＤ装置優先順位コードのデータを一時保管するメモリ手段と、空調機、ＩＯ、ＡＤ装置と第１送受信デバイス部を結ぶ第３伝送路と、メモリ手段に一時保管される空調機優先順位コード、ＩＯ、ＡＤ装置優先順位コードの優先順位レベルがすでに設定され、その優先順位レベルの高低により割り込み指令データを送信する優先順位レベル判定手段と、制御装置と火災報知器等の緊急停止装置間のデータ送受信を行い優先順位レベル判定手段からの指令により火災報知器等の緊急停止装置データから空調機の運転状態データ、ＩＯ、ＡＤ装置の情報データを制御装置に送信する第２送受信デバイス部と、制御装置と第２送受信デバイス部を結ぶ第１伝送路と、火災報知器等の緊急停止装置と第２送受信デバイス部を結ぶ第２伝送路とを備えたものである。
【０００７】
上記構成によって、空調機およびＩＯ、ＡＤ装置の接続台数の増加減の監視を行い、火災報知器等の緊急停止装置と空調機、ＩＯ、ＡＤ装置の情報を効率よく制御装置に伝達す
ることができる。
【発明の効果】
【０００８】
本発明のインターフェイスユニットは、１台で制御装置と空調機、ＩＯ、ＡＤ装置および火災報知器等の緊急停止装置データの送受信が行え、火災報知器等の緊急停止装置データを優先させながら、空調機、ＩＯ、ＡＤ装置の最適な割り込みタイミングを自動で判定することができる。
【発明を実施するための最良の形態】
【０００９】
第1の発明は、１台で制御装置と空調機、ＩＯ、ＡＤ装置データおよび火災報知器等の緊急停止装置データの送受信が行え、火災報知器等の緊急停止装置データを優先させながら、空調機、ＩＯ、ＡＤ装置の最適な割り込みタイミングを自動で判定することができ、それにより制御装置は火災報知器等の緊急停止装置データからの変化を即時に検知できるという効果を奏する。
【００１０】
第２の発明は、火災報知器等の緊急停止装置の接続台数により、火災報知器等の緊急停止装置データを優先させながら、最適な送信時間を自動で判定することができ、それにより制御装置は火災報知器等の緊急停止装置データからの変化を即時に検知できるという効果を奏する。
【００１１】
第３の発明は、手動でより細かく空調機、ＩＯ、ＡＤ装置データの設置環境に最適な送信時間を設定することができるという効果を奏する。
【００１２】
以下本発明の実施の形態について図面を参照して説明する。
【００１３】
（実施の形態１）
図１は、本発明のインターフェイスユニットの一実施形態を適用したブロック図である。図１において、第２送受信デバイス部６ａは、制御装置３と伝送路２ａを介して、火災報知器等の緊急停止装置４は伝送路２ｂを介して接続され送受信を行う。第１送受信デバイス部６ｂは、伝送路２ｃ上の空気調和器５の空調機優先順位コードデータ、ＩＯ、ＡＤ装置優先順位コードデータを受信するものである。メモリ手段８は、受信した空調機５の優先順位コードデータおよびＩＯ、ＡＤ装置１４の優先順位コードデータを一時保管する手段を備えるものである。
【００１４】
優先順位レベル判定手段７は、メモリ手段８に一時保管される優先順位コードデータの優先順位のレベルと台数から接続している空調機５、ＩＯ、ＡＤ装置１４それぞれの1分間で送信する回数を判定し、そのタイミングで第２送受信デバイス部６ａにメモリ手段８で一時保管されている空調機５、ＩＯ、ＡＤ装置１４の情報データを送信するよう割り込み指令データを送信するものである。
【００１５】
以上のように構成された本実施の形態のインターフェイスユニットについて、次にその動作を説明する。
【００１６】
まず始めに、制御装置３からの一定間隔で送信されるデータ要求コマンドに対し、送受信デバイス６ａが制御装置３へ火災報知器等の緊急停止装置４のデータ送信を行う。また、メモリ手段８は、第１送受信デバイス部６ｂが受信した空調機およびＩＯ、ＡＤ装置の情報データの一時保管を開始する。優先順位レベル判定手段７は、メモリ手段8の受信優先順位コードを監視し、優先順位コードのレベルと台数をカウントする。優先順位レベルは１６段階（０〜Ｆ）で設定可能であり（仮に空調機５の優先順位レベル４、ＩＯ、ＡＤ装置１４の優先順位レベル３）、優先順位レベルと台数からデータテーブル（台数×優先
順位レベル）により、１分間に送信する回数を決定し、優先順位レベル判定手段７が第２送受信デバイス部６ａに送信データの切り換えを要求する割り込み指令データを送信回数より１分間に等間隔で送信する。
【００１７】
送受信デバイス６ａは、割り込み指令データを受信すると制御装置３から一定間隔で送られてくるデータ要求コマンドに対し火災報知器等の緊急停止装置４データからメモリ手段８に一時保管されている空調機およびＩＯ、ＡＤ装置の情報データを送信する。１分毎に送信回数を決定し、この動作を繰り返す。
【００１８】
以上のように、本発明のインターフェイスユニットは、１台で制御装置３と空調機５、ＩＯ、ＡＤ装置１４および火災報知器等の緊急停止装置４データの送受信が行え、火災報知器等の緊急停止装置４データを優先させながら、空調機５およびＩＯ、ＡＤ装置１４の最適な割り込みタイミングを自動で判定することができ、それにより制御装置３は火災報知器等の緊急停止装置４データからの変化を即時に検知できるようにすることができる。
【００１９】
（実施の形態２）
図２は、本発明のインターフェイスユニットの一実施形態を適用したブロック図である。図２において、図１と同じ構成要素については同じ符号を用い、説明を省略する。
【００２０】
図２において、接続台数検知手段１２は、制御装置３からの一定間隔のデータ要求コマンドに対する火災報知器等の緊急停止装置４の送信データにより、接続台数を検知し、接続台数により設定された、空調機のメモリ手段８に一時保管された空調機およびＩＯ、ＡＤ装置の情報データを送信する時間を決定するものである。設定時間経過検知手段１０は、第１タイマー手段１１ｂが計測している時間を監視し、接続台数検知手段１２で決定された時間が経過すれば、そのタイミングで割り込み指令データを送信するものである。
【００２１】
以上のように構成された本実施の形態のインターフェイスユニットについて、次にその動作を説明する。
【００２２】
まず始めに、制御装置３からの一定間隔で送信されるデータ要求コマンドに対し、送受信デバイス６ａが制御装置3へ火災報知器等の緊急停止装置４のデータ送信を行い、接続台数検知手段１２は、火災報知器等の緊急停止装置データは通信バイト数が定量であるため、通信バイト数で接続台数をカウントする。また、メモリ手段８は、第１送受信デバイス部６ｂが受信した空調機およびＩＯ、ＡＤ装置の情報データの一時保管を開始する。送信時間経過検知手段１０は、第１タイマー手段１１ｂが接続台数検知手段１２が設定した時間経過したかを監視する。
【００２３】
送信時間検知手段１０は、第１タイマー手段１１ｂが設定時間経過を検知すれば、第２送受信デバイス部６ａに送信データの切り換えを要求する割り込み指令データを送信する。送受信デバイス６ａは、割り込み指令データを受信すると制御装置3からの一定間隔で送られてくるデータ要求コマンドに対し火災報知器等の緊急停止装置４データからメモリ手段８に一時保管されている空調機５およびＩＯ、ＡＤ装置１４の情報データを送信する。送信後、制御装置３からのデータ要求に対し火災報知器等の緊急停止装置５データ送信に切り換える。以降、この動作を繰り返す。
【００２４】
以上のように、本発明のインターフェイスユニットは、火災報知器等の緊急停止装置４の接続台数により、火災報知器等の緊急停止装置４データを優先させながら、空調機５およびＩＯ、ＡＤ装置１４の最適な送信時間を自動で判定することができできる。
【００２５】
（実施の形態３）
図３は、本発明のインターフェイスユニットの一実施形態を適用したブロック図である。図３において、図１と同じ構成要素については同じ符号を用い、説明を省略する。
【００２６】
図３において、優先順位レベル設定スイッチ１３は、優先順位レベル判定手段７が、送信回数を決定する機器の優先順位レベルを手動で設定するものである。
【００２７】
そして、この実施の形態によれば、優先順位レベル設定スイッチ１３は、８ビット構成のスイッチであり、空調機５およびＩＯ、ＡＤ装置１４の優先順位レベルを０〜Ｆの範囲で変更することにより、空調機５およびＩＯ、ＡＤ装置１４の情報データの最適な送信時間を空調機５およびＩＯ、ＡＤ装置の接続台数や優先順位レベルに合わせ、より細かく手動で設定することができる。
【産業上の利用可能性】
【００２８】
以上のように、本発明にかかるインターフェイスユニットは、1つのバスライン上に複数の端末を設置し、特に情報を再優先させたい端末を、端末台数に影響無く情報を取り出せることが可能となるので、ビルおよび学校等のセキュリティ管理等の用途にも適用できる。
【図面の簡単な説明】
【００２９】
【図１】本発明の第１の実施の形態を示すブロック図
【図２】本発明の第２の実施の形態を示すブロック図
【図３】本発明の第３の実施の形態を示すブロック図
【図４】従来のブロック図
【符号の説明】
【００３０】
１  インターフェイスユニット
２ａ〜2ｃ  伝送路
３  制御装置
４  火災報知器等の緊急停止装置
５  空調機
６ａ〜６ｂ  送受信デバイス部
７  優先順位レベル判定手段
８  メモリ手段
１０  設定時間経過検知手段
１１  タイマー手段
１２  接続台数検知手段
１３  優先順位レベル設定スイッチ
１４  ＩＯ、ＡＤ装置
【図１】
2007074184.tif 000003
【図２】
2007074184.tif 000004
【図３】
2007074184.tif 000005
【図４】
2007074184.tif 000006